(57)【要約】【課題】本発明は、規格や仕様の異なる複数の非接触ＩＣカードと通信するために、非接触ＩＣコントロール部だけ設計変更するだけでよいカードリーダーライター装置を提供する。【解決手段】本発明のカードリーダーライター装置は、非接触ＩＣコントロール部４と、カードリーダーライター装置のメインコントロール部２との間に電源インターフェイス部３を備えることを特徴としたカードリーダーライター装置であり、メインコントロール部２と、電源インターフェイス部３と、非接触ＩＣコントロール部４とで構成することにより、非接触ＩＣカード８の規格や仕様が異なる場合でも非接触ＩＣコントロール部４の変更だけで通信を行うことを特徴とした。【選択図】図３
2005038331.tif 000002
【特許請求の範囲】
【請求項１】
非接触ＩＣカードとの通信を行う非接触ＩＣコントロール部と、メインコントロール部を有したカードリーダーライター装置において、前記非接触ＩＣコントロール部と前記メインコントロール部の間に、前記メインコントロール部から供給される電圧を前記非接触ＩＣコントロール部にて使用する電圧に変換する電源インターフェイス部を備えたことを特徴とするカードリーダーライター装置。
【請求項２】
前記電源インターフェイス部は、前記メインコントロール部から送信されるコマンド命令を前記非接触ＩＣコントロール部へ中継する通信路を備えたこと特徴とする請求項１記載のカードリーダーライター装置。
【請求項３】
前記電源インターフェイス部は、前記非接触ＩＣコントロール部から送信される前記コマンド命令に対しての応答を、前記メインコントロール部へ中継する通信路を備えたことを特徴とする請求項２記載のカードリーダーライター装置。
【発明の詳細な説明】
【技術分野】
【０００１】
本発明は、規格・仕様の異なるさまざまな非接触ＩＣカードを取り込んで通信を行うことができるカードリーダーライター装置に関する。
【背景技術】
【０００２】
非接触ＩＣカードは、鉄道やバスの定期券や、勤怠を管理するタイムカードや、プリペイドカードなどにさまざまな用途に用いられている。その非接触ＩＣカードに電源を供給し、非接触ＩＣカードとさまざまデータの送受信を行う非接触ＩＣカードリーダーライター装置は、このそれぞれの非接触ＩＣカードの規格や仕様に適合した装置構成とする必要がある。この従来の非接触ＩＣカードリーダーライター装置の基本構成は（特許文献１）に記載されている。
【０００３】
非接触ＩＣカードリーダーライター装置のコントロール部は、メインコントロール部と、非接触ＩＣコントロール部で構成される。
【０００４】
メインコントロール部は、装置全体を制御しており、ホストやパーソナルコンピュータ（以下、ＰＣと称す。）からのコマンド命令により、カードの搬送、印字、カード内のデータの消去、読み出しおよび書き込みを行っている。
【０００５】
非接触ＩＣコントロール部は、非接触ＩＣカードとの通信を制御しており、メインコントロール部からの命令により、非接触ＩＣカード内にあるメモリのデータの読み出しや書き込みなどを行う。
【０００６】
非接触ＩＣカードは、上述したようにさまざま規格や仕様が存在するので、非接触ＩＣカードを装置内部に取り込み、非接触ＩＣカードと通信を行うためには、ＩＣカード内のメモリにアクセスするための通信プロトコルや送信する電波の変波長が合致している必要があるため、その非接触ＩＣカードに適合した規格や仕様のメインコントロール部と非接触ＩＣコントロール部を、その都度設計変更をしたカードリーダーライター装置としていた。
【特許文献１】特開２００１−１０１３５４号公報（第２−３頁、図９）
【発明の開示】
【発明が解決しようとする課題】
【０００７】
カードリーダーライター装置において、規格や仕様の異なる非接触ＩＣカードと通信を行うためには、都度カードリーダーライター装置のメインコントロール部と非接触ＩＣコントロール部の両方の回路構成を大幅に設計変更する必要があったり、すでに製造した基板がある場合には、メインコントロール部と非接触ＩＣコントロール部の両方の基板を交換しなければならないという課題を有していた。
【０００８】
そこで、本発明は、規格や仕様の異なる複数の非接触ＩＣカードと通信するために、非接触ＩＣコントロール部だけ設計変更するだけでよいカードリーダーライター装置を提供することを目的とする。
【課題を解決するための手段】
【０００９】
この課題を解決するために本発明のカードリーダーライター装置は、非接触ＩＣカードとの通信を行う非接触ＩＣコントロール部と、メインコントロール部を有したカードリーダーライター装置において、非接触ＩＣコントロール部とメインコントロール部の間に、
メインコントロール部から供給される電圧を非接触ＩＣコントロール部にて使用する電圧に変換する電源インターフェイス部を備えたことを特徴とするものである。
【００１０】
これにより、非接触ＩＣコントロール部が設計変更となってもメインコントロール部までは設計変更する必要がない。
【発明の効果】
【００１１】
以上のように、本発明のカードリーダーライター装置は、非接触ＩＣコントロール部とメインコントロール部との間に、メインコントロール部から供給される電源電圧を非接触ＩＣコントロール部の電源電圧に変換し、かつメインコントロール部からの命令を非接触ＩＣコントロール部へ送信したり、非接触ＩＣコントロール部からの応答をメインコントロール部へ送信したりする通信路を備えた電源インターフェイス部を設けることにより、非接触ＩＣコントロール部の変更をするだけで、規格や仕様の異なる非接触ＩＣカードと通信が行える。
【発明を実施するための最良の形態】
【００１２】
本発明の請求項１に記載の発明は、非接触ＩＣカードとの通信を行う非接触ＩＣコントロール部と、メインコントロール部を有したカードリーダーライター装置において、非接触ＩＣコントロール部とメインコントロール部の間に、メインコントロール部から供給される電圧を非接触ＩＣコントロール部にて使用する電圧に変換する電源インターフェイス部を備えたことを特徴とするカードリーダーライター装置としたものであり、この構成により、メインコントロール部が異なる規格や仕様により異なる電圧を使用する非接触ＩＣコントロール部を接続する場合でも、電源インターフェイス部を介して接続できるという作用を有する。
【００１３】
請求項２に記載の発明は、電源インターフェイス部は、メインコントロール部から送信されるコマンド命令を非接触ＩＣコントロール部へ中継する通信路を備えたこと特徴とする請求項１記載のカードリーダーライター装置としたものであり、この構成によりメインコントロール部から発行されるコマンド命令を非接触ＩＣコントロール部へ中継するという作用がある。
【００１４】
請求項３に記載の発明は、電源インターフェイス部は、非接触ＩＣコントロール部から送信されるコマンド命令に対しての応答を、メインコントロール部へ中継する通信路を備えたことを特徴とする請求項２記載のカードリーダーライター装置としたものであり、非接触ＩＣコントロール部からの応答をメインコントロール部へ中継するという作用がある。
【００１５】
以下、本発明の一実施の形態について、図１から図３を用いて説明をする。
【００１６】
図１は本発明の一実施の形態によるカードリーダーライター装置のコントロール部の構成を示す図である。
【００１７】
図１において、カードリーダーライター装置のカードリーダーライターコントロール部１は、メインコントロール部２、電源インターフェイス部３、非接触ＩＣコントロール部４の３つより構成される。
【００１８】
メインコントロール部２は、装置全体を制御しており、ホストやＰＣからのコマンド命令により、カードの搬送、印字、カード内のデータの消去、読み出しおよび書き込みを行っている。
【００１９】
電源インターフェイス部３は、メインコントロール部２から供給される電源電圧を非接触ＩＣコントロール部４用の電源電圧に変換し、かつメインコントロール部２からの命令を送信したり、非接触ＩＣコントロール部４からの応答を受信するために通信路を備えている。
【００２０】
非接触ＩＣコントロール部４は、非接触ＩＣカードとの通信を制御しており、メインコントロール部２からの命令により、非接触ＩＣカード内にあるメモリのデータの読み出しや書き込みなどを行う。
【００２１】
メインコントロール部２と非接触ＩＣコントロール部４の間に電源インターフェイス部３を配置している。
【００２２】
メインコントロール部２と電源インターフェイス部３は、２４Ｖ，５Ｖの電源電圧とシリアル通信、パラレル通信のインターフェイスなどで接続している。
【００２３】
非接触ＩＣコントロール部４と電源インターフェイス部３は、２４Ｖ以下の定電圧、５Ｖの電源電圧とシリアル通信、パラレル通信で接続している。
【００２４】
従って、規格や仕様で異なる非接触ＩＣコントロール部４を、メインコントロール部２に接続する場合でも、メインコントロール部２から供給される電源電圧を非接触ＩＣコントロール部４の電源電圧に変換し、かつメインコントロール部２からの命令を非接触ＩＣコントロール部４へ送信したり、非接触ＩＣコントロール部４からの応答をメインコントロール部２へ送信したりする通信路を備えた電源インターフェイス部３を介しているため、非接触ＩＣコントロール部４のみを設計変更するだけで、メインコントロール部２は設計変更せずにすむ。
【００２５】
図２は、異なる規格や仕様の非接触ＩＣコントロール部が電源インターフェイス部を介してメインコントロール部へ接続する構成を示した図である。
【００２６】
図２において、非接触ＩＣコントロール部５，６，７は、異なる規格や仕様の非接触ＩＣカードに対しデータの送受信や電力の供給をすることができる回路構成としている。
【００２７】
このように、規格や仕様の異なる非接触ＩＣカードと通信を行う場合、メインコントロール部２から供給される電源電圧を非接触ＩＣコントロール部４の電源電圧に変換し、かつメインコントロール部２からの命令を非接触ＩＣコントロール部４へ送信したり、非接触ＩＣコントロール部４からの応答をメインコントロール部２へ送信したりする通信路を備えた電源インターフェイス部３を設けていることにより、非接触ＩＣコントロール部５，６，７だけの変更で、規格・仕様の異なる非接触ＩＣカード８に対応することができる。
【００２８】
図３は、本発明の一実施の形態によるカードリーダーライター装置の全体を説明する図である。
【００２９】
図３において、メインコントロール部２、電源インターフェイス部３、非接触ＩＣコントロール部４をそれぞれ別基板の構成にすることにより、容易に、非接触ＩＣコントロール部４を替えることができる。
【産業上の利用可能性】
【００３０】
本発明のカードリーダーライター装置は、規格や仕様の異なる非接触ＩＣカードと通信を行うことが必要とされるカードリーダーライター装置等の用途にも適用できる。
【図面の簡単な説明】
【００３１】
【図１】本発明の一実施の形態によるカードリーダーライター装置のコントロール部の構成を示す図
【図２】異なる規格や仕様の非接触ＩＣコントロール部が電源インターフェイス部を介してメインコントロール部へ接続する構成を示した図
【図３】本発明の一実施の形態によるカードリーダーライター装置の全体を説明する図
【符号の説明】
【００３２】
１    カードリーダーライターコントロール部
２    メインコントロール部
３    電源インターフェイス部
４    非接触ＩＣコントロール部
５，６，７    非接触ＩＣコントロール部
８    非接触ＩＣカード
【図１】
2005038331.tif 000003
【図２】
2005038331.tif 000004
【図３】
2005038331.tif 000005